(57)【要約】【課題】複数の種類の無線子機に接続する無線アクセスポイント装置において、自動的に無線子機に最適なＳＳＩＤを使用させることができる無線アクセスポイント装置を提供することを目的とする。【解決手段】無線子機から接続を要請されると無線子機の種類を判断する無線子機判断部２６と、ＳＳＩＤの設定情報を管理する設定管理部２５と、無線子機判断部２６が判断した無線子機の種類、および設定管理部２５が管理するＳＳＩＤの設定情報に基づいて、無線子機の種類に対して予め定めた最適な設定情報に最も近い設定情報を有するＳＳＩＤを、無線子機に最適なＳＳＩＤであると決定する接続ＳＳＩＤ決定部２７とを備え、無線子機に、接続ＳＳＩＤ決定部２７が決定したＳＳＩＤに応じた応答を送信する。【選択図】図１
2013131993.tif 000002
【特許請求の範囲】
【請求項１】
無線子機から接続を要請されると当該無線子機の種類を判断する無線子機判断部と、
ＳＳＩＤの設定情報を管理する設定管理部と、
前記無線子機判断部が判断した無線子機の種類、および前記設定管理部が管理するＳＳＩＤの設定情報に基づいて、当該無線子機の種類に対して予め定めた最適な設定情報に最も近い設定情報を有するＳＳＩＤを、当該無線子機に最適なＳＳＩＤであると決定する接続ＳＳＩＤ決定部とを備え、
前記無線子機に、前記接続ＳＳＩＤ決定部が決定したＳＳＩＤに応じた応答を送信する
ことを特徴とする無線アクセスポイント装置。
【請求項２】
接続ＳＳＩＤ決定部が決定したＳＳＩＤが、無線子機が接続要請したＳＳＩＤと異なる場合、前記接続ＳＳＩＤ決定部が決定したＳＳＩＤの設定情報を含む応答を前記無線子機に送信し、当該設定情報を用いて、前記無線子機が接続要請したＳＳＩＤに前記無線子機を接続させる
請求項１記載の無線アクセスポイント装置。
【請求項３】
接続ＳＳＩＤ決定部が決定したＳＳＩＤが、無線子機が接続要請したＳＳＩＤと異なる場合、前記接続ＳＳＩＤ決定部が決定したＳＳＩＤに前記無線子機を接続させる
請求項１記載の無線アクセスポイント装置。
【請求項４】
設定管理部は、接続ＳＳＩＤ決定部が決定したＳＳＩＤが起動中でない場合、当該ＳＳＩＤを起動させる
請求項１から請求項３のうちのいずれか１項に記載の無線アクセスポイント装置。
【請求項５】
無線子機から接続を要請されると当該無線子機の種類を判断し、
ＳＳＩＤの設定情報を管理し、
判断した前記無線子機の種類、およびＳＳＩＤの設定情報に基づいて、当該無線子機の種類に対して予め定めた最適な設定情報に最も近い設定情報を有するＳＳＩＤを、当該無線子機に最適なＳＳＩＤであると決定し、
前記無線子機に、決定した当該ＳＳＩＤに応じた応答を送信する
ことを特徴とする無線アクセスポイント接続方法。
【請求項６】
コンピュータに、
無線子機から接続を要請されると当該無線子機の種類を判断する無線子機判断処理と、
ＳＳＩＤの設定情報を管理する設定管理処理と、
前記無線子機の種類、およびＳＳＩＤの設定情報に基づいて、当該無線子機の種類に対して予め定めた最適な設定情報に最も近い設定情報を有するＳＳＩＤを、当該無線子機に最適なＳＳＩＤであると決定する接続ＳＳＩＤ決定処理と、
前記無線子機に、決定した当該ＳＳＩＤに応じた応答を送信する処理と
を実行させるための無線アクセスポイント接続プログラム。
【発明の詳細な説明】
【技術分野】
【０００１】
本発明は、子機との通信を無線で確立する無線アクセスポイント装置、無線アクセスポイント接続方法および無線アクセスポイント接続プログラムに関する。
【背景技術】
【０００２】
近年、無線通信環境が普及し、無線子機（以下、子機と記載することがある）の種類が多様化している、１台の無線アクセスポイント装置に対して複数の種類の無線子機が接続されることが増えている。それに対して、マルチＳＳＩＤ（Ｓｅｒｖｉｃｅ  Ｓｅｔ  Ｉｄｅｎｔｉｆｉｅｒ）機能が搭載され、ＳＳＩＤごとにさまざまな設定をしたアクセスポイントを作成することができる機能を有する無線アクセスポイント装置が開発されている。また、省電力化する機能として、ＤＴＩＭ（Ｄｅｌｉｖｅｒｙ  Ｔｒａｆｆｉｃ  Ｉｎｄｉｃａｔｉｏｎ  Ｍｅｓｓａｇｅ）によるＰＯＷＥＲ−ＳＡＶＥ機能を搭載した無線アクセスポイント装置が開示されている（例えば、特許文献１または非特許文献１参照）。
【先行技術文献】
【特許文献】
【０００３】
【特許文献１】特開２００９−１１８１６０号公報
【非特許文献】
【０００４】
【非特許文献１】“ＩＴｍｅｄｉａエンタープライズ”、[online]、[平成２３年１２月１日検索]、インターネット〈URL：http://www.itmedia.co.jp/enterprise/articles/0612/13/news005.html〉
【発明の概要】
【発明が解決しようとする課題】
【０００５】
しかし、特許文献１に記載された発明等の一般的な無線アクセスポイント装置は、ＤＴＩＭ間隔の値が記載された子機の種類によって設定すべき値が異なる。そのため、同じＳＳＩＤに複数の種類の子機が接続された場合、ＤＴＩＭ間隔の値は、複数の種類の子機のそれぞれに対応する値のうち最小値を設定しなければならない。ＤＴＩＭ間隔が小さいほど消費電力が大きいため、子機の種類によっては必要以上の電力を消費する場合がある。つまり、ＰＯＷＥＲ−ＳＡＶＥ機能による待機電力の省電力効果が十分に発揮できない。
【０００６】
また、マルチＳＳＩＤ機能を持つ無線アクセスポイント装置において、ＳＳＩＤごとにＤＴＩＭの送信間隔設定や、再送回数、暗号化設定などを手動で設定することができる。しかし、ユーザが、接続される子機の種類によって最適とされる値の設定を理解し、子機の種類ごとにＳＳＩＤを振り分けなければ、各々の最適な設定ができない。
【０００７】
本発明は、自動的に無線子機に最適なＳＳＩＤを使用させることができる無線アクセスポイント装置、無線アクセスポイント接続方法および無線アクセスポイント接続プログラムを提供することを目的とする。
【課題を解決するための手段】
【０００８】
本発明による無線アクセスポイント装置は、無線子機から接続を要請されると当該無線子機の種類を判断する無線子機判断部と、ＳＳＩＤの設定情報を管理する設定管理部と、前記無線子機判断部が判断した無線子機の種類、および前記設定管理部が管理するＳＳＩＤの設定情報に基づいて、当該無線子機の種類に対して予め定めた最適な設定情報に最も近い設定情報を有するＳＳＩＤを、当該無線子機に最適なＳＳＩＤであると決定する接続ＳＳＩＤ決定部とを備え、前記無線子機に、前記接続ＳＳＩＤ決定部が決定したＳＳＩＤに応じた応答を送信することを特徴とする。
【０００９】
本発明による無線アクセスポイント接続方法は、無線子機から接続を要請されると当該無線子機の種類を判断し、ＳＳＩＤの設定情報を管理し、判断した前記無線子機の種類、およびＳＳＩＤの設定情報に基づいて、当該無線子機の種類に対して予め定めた最適な設定情報に最も近い設定情報を有するＳＳＩＤを、当該無線子機に最適なＳＳＩＤであると決定し、前記無線子機に、決定した当該ＳＳＩＤに応じた応答を送信することを特徴とする。
【００１０】
本発明による無線アクセスポイント接続プログラムは、コンピュータに、無線子機から接続を要請されると当該無線子機の種類を判断する無線子機判断処理と、ＳＳＩＤの設定情報を管理する設定管理処理と、前記無線子機の種類、およびＳＳＩＤの設定情報に基づいて、当該無線子機の種類に対して予め定めた最適な設定情報に最も近い設定情報を有するＳＳＩＤを、当該無線子機に最適なＳＳＩＤであると決定する接続ＳＳＩＤ決定処理と、前記無線子機に、決定した当該ＳＳＩＤに応じた応答を送信する処理とを実行させる。
【発明の効果】
【００１１】
本発明によれば、複数の種類の無線子機に接続する無線アクセスポイント装置、無線アクセスポイント接続方法および無線アクセスポイント接続プログラムにおいて、自動的に無線子機に最適なＳＳＩＤを使用させることができる。
【図面の簡単な説明】
【００１２】
【図１】本発明による無線ＬＡＮアクセスポイント装置を含む通信システムの第１の実施形態および第２の実施形態の構成を示すブロック図である。
【図２】無線子機の最適な設定情報を示す説明図である。
【図３】本発明による無線ＬＡＮアクセスポイント装置の第１の実施形態の動作を示すフローチャートである。
【図４】本発明による無線ＬＡＮアクセスポイント装置の第１の実施形態における無線子機との通信手順を示すシーケンス図である。
【図５】本発明による無線ＬＡＮアクセスポイント装置の第２の実施形態の動作を示すフローチャートである。
【図６】本発明による無線ＬＡＮアクセスポイント装置の第２の実施形態における無線子機との通信手順を示すシーケンス図である。
【発明を実施するための形態】
【００１３】
実施形態１．
図１は、本発明による無線ＬＡＮアクセスポイント装置を含む通信システムの第１の実施形態（実施形態１）の構成を示すブロック図である。図２は、無線子機の最適な設定情報を示す説明図である。図１に示す無線ＬＡＮアクセスポイント装置２２は、設定管理部２５、無線子機判断部２６および接続ＳＳＩＤ決定部２７を備えている。また、無線ＬＡＮアクセスポイント装置２２は、ＳＳＩＤ２３とＳＳＩＤ２４とを備え、マルチＳＳＩＤ機能を有している。また、無線ＬＡＮアクセスポイント装置２２は、携帯電話機２０またはＰＣ２１等の複数の種類の無線子機と通信を行う。
【００１４】
無線子機判断部２６は、具体的には、プログラムに従って動作する無線ＬＡＮアクセ
スポイント２２のＣＰＵによって実現され、接続する無線子機の種類を判断する機能を有する。例えば、ＰＣ２１が無線ＬＡＮアクセスポイント装置２２と接続を行うために、簡単接続機能であるらくらく無線スタート（登録商標）を実行し、接続を確立しようとする場合を想定する。ＰＣ２１がらくらく無線スタートにより接続先の情報のやり取りを行う際、無線子機判断部２６は、ＰＣ２１から送られてくる情報を読み取ることにより、その無線子機の種類を判断する。
【００１５】
接続ＳＳＩＤ決定部２７は、具体的には、プログラムに従って動作する無線ＬＡＮアクセスポイント装置２２のＣＰＵによって実現される。接続ＳＳＩＤ決定部２７は、無線子機判断部２６により決定された無線子機の種類と設定管理部２５にて管理しているＳＳＩＤの設定情報を取得し、内部で保持している図２に示す情報と対比し、最適な接続先を決定する。さらに、接続ＳＳＩＤ決定部２７は、決定したＳＳＩＤを、設定管理部２５に対して通知する。
【００１６】
設定管理部２５は、具体的には、プログラムに従って動作する無線ＬＡＮアクセスポイント装置２２のＣＰＵによって実現される。設定管理部２５は、ＳＳＩＤ（図１に示す例におけるＳＳＩＤ２３およびＳＳＩＤ２４）の設定情報や起動状態を管理している。設定管理部２５は、接続ＳＳＩＤ決定部２７から通知された最適なＳＳＩＤが起動していない場合、そのＳＳＩＤを起動させてもよい。この仕組みにより、接続対象の無線子機が接続していない間、ＳＳＩＤを停止状態にしておくことができるので、待機電力の省電力効果が得られる。
【００１７】
無線ＬＡＮアクセスポイント装置２２は、接続ＳＳＩＤ決定部２７により決定されたＳＳＩＤの設定情報を無線子機に通知し、無線子機と決定されたＳＳＩＤとの通信がおこなわれるようにする。
【００１８】
本実施形態の無線ＬＡＮアクセスポイント装置の動作を説明する。図３は、本発明による無線ＬＡＮアクセスポイント装置の第１の実施形態の動作を示すフローチャートである。図４は、本発明による無線ＬＡＮアクセスポイント装置の第１の実施形態における無線子機との通信手順を示すシーケンス図である。なお、以下の説明におけるＷＰＳ（Ｗｉ−Ｆｉ  Ｐｒｏｔｅｃｔｅｄ  Ｓｅｔｕｐ）設定では、プッシュ・ボタン方式（ＰＢＣ：Ｐｕｓｈ  ｂｕｔｔｏｎ  Ｃｏｎｆｉｇｕｒａｔｉｏｎ）を用いているが、例えばＰＩＮ（ｐｅｒｓｏｎａｌ  ｉｄｅｎｔｉｆｉｃａｔｉｏｎ  ｎｕｍｂｅｒ）コード方式を用いてもよい。
【００１９】
無線子機が、無線ＬＡＮアクセスポイント装置２２へ接続要請をする場合、無線子機から該当のＳＳＩＤを探査する要求（Probe Request）が送信される（ステップＳ１１、シーケンス３１）。無線ＬＡＮアクセスポイント装置２２は、Probe Request内で指定されているＳＳＩＤ（図４に示す例におけるＳＳＩＤ２３）から、応答（Probe Response）を無線子機に返す（シーケンス３２）。そして、無線子機は、認証要求（Auth Request）を無線ＬＡＮアクセスポイント装置２２に送信し（シーケンス３３）、無線ＬＡＮアクセスポイント装置２２は、認証応答（Auth Response）を無線子機に返す（シーケンス３４）
【００２０】
無線子機判断部２６は、Probe Requestに記載されているＭＡＣアドレスやVendorOption等の情報を読み取り、接続しようとしている無線子機の種類を判定する。ＳＳＩＤ２３およびＳＳＩＤ２４は、それぞれ、通信対象の子機の種類にあわせて設定されている。その設定情報や起動状態は、設定管理部２５により管理されている。無線子機判断部２６が無線子機の種類を判断すると、接続ＳＳＩＤ決定部２７は、設定管理部２５に各ＳＳＩＤの設定情報と起動状態の問い合わせを行い、情報を入手する。
【００２１】
接続ＳＳＩＤ決定部２７は、接続しようとしている無線子機の種類と、設定管理部２５から取得したＳＳＩＤ設定情報と、に基づいて最適な接続先を決定する。具体的には、図２に示すような予め用意した、無線子機の種類とその無線子機の最適な設定情報とを対応付けたテーブルを用いる。接続ＳＳＩＤ決定部２７は、このテーブルを用いて、無線子機が接続するための最適な設定情報と同じかまたは最も近い設定情報を持つＳＳＩＤを最適なＳＳＩＤであると決定する。そして、決定したＳＳＩＤを、設定管理部２５に対して通知する。
【００２２】
設定管理部２５は、接続ＳＳＩＤ決定部２７から通知された、最適な設定がされたＳＳＩＤの起動状態を判断し（ステップＳ１２）、起動されていない場合はそのＳＳＩＤの起動を行う（ステップＳ１３）。図４に示す例では、ＳＳＩＤ２４が、接続要請をした無線子機に最適なＳＳＩＤであるので、ＳＳＩＤ２４を起動する（シーケンス３５）。ＳＳＩＤ２４が起動されると、ＳＳＩＤ２４の設定情報を含む情報がBeaconとして送信される（シーケンス３６）。
【００２３】
接続ＳＳＩＤ決定部２７は、決定したＳＳＩＤおよびそのＳＳＩＤの設定情報を無線子機に通知し（ステップＳ１４、ステップＳ１５）、無線ＬＡＮアクセスポイント装置２２と無線子機とは、ＳＳＩＤ２４の設定情報を用いてＷＰＳ設定を行う。（シーケンス３７）。これにより、無線子機はその後の通信において、その無線子機において最適な設定がされたＳＳＩＤ２４の設定情報を用いてＳＳＩＤ２３に接続するようになる。
【００２４】
以下、無線ＬＡＮアクセスポイント装置２２に図２に示す様々な無線子機を用いた場合の効果を説明する。図２に示すように、例えば、無線子機の種類がゲーム機端末である場合、通信していないときは無線ＬＡＮアクセスポイント装置２２と無線子機の間で接続を維持する必要がない。しかし、通信先のＳＳＩＤの設定が、通信しないときであっても接続を維持する設定であって場合、待機電力を無駄に消費する。そのため、無線ＬＡＮアクセスポイント装置２２は、ゲーム機端末から接続要請がされた場合、通信していないときに接続を維持しない設定がされたＳＳＩＤを起動し、そのＳＳＩＤを用いて通信させる。これにより、待機状態での消費電力を削減することができる。
【００２５】
また、図２に示すように、速度を重視しなければならない子機や、速度よりもパケットロストがおこらず、安定した通信を重視しなければならない子機など用途によってさまざまな子機が存在する。例えば、ゲーム機またはプリンタのように子機の種類が、安定した通信を重視するものである場合、再送回数が多く、低レートでロストがおこりにくい設定になっているＳＳＩＤに自動で接続することにより、安定した通信を行うことができる。また、例えば携帯電話、ＴＶまたはパソコンのように、速度を重視しなければならない子機は、再送回数を減らし、高レートで速度が出る設定になっているＳＳＩＤに自動で接続することにより、高速通信を行うことができる。
【００２６】
また、例えば、ゲーム機のように、通信がおこなわれていない期間において接続を維持する必要がない子機がある。このような子機を自動的に一つのＳＳＩＤに接続させておくことにより、各ＳＳＩＤに接続している子機からの通信がなくなるタイミングでＤＴＩＭ間隔を伸ばすことで待機電力を節約でき、省電力効果が得られる。
【００２７】
また、一般的な無線ＬＡＮアクセスポイント装置において、ユーザがＤＴＩＭの設定や再送回数の設定など専門的な設定について理解した上で設定を行う必要があるのでユーザの負担になるという問題点があった。また、子機の種類に応じてどのＳＳＩＤに帰属させるかを決定する必要があり、設定に手間がかかるという問題点があった。しかし、本発明によれば、「ゲーム機モード」や「ＰＣモード」など、子機の種類によってあらかじめ決定しておいた設定を選ぶだけで専門的な知識なしで通信の設定が可能になる。
【００２８】
実施形態２．
次に、無線子機を最適なＳＳＩＤへ誘導する、本発明の他の実施形態を説明する。第２の実施形態（実施形態２）における無線ＬＡＮアクセスポイント装置の構成は、図１に示した第１の実施形態の構成と同様であるため、説明を省略する。以下、本実施形態の無線ＬＡＮアクセスポイント装置の動作を説明する。
【００２９】
図５は、本発明による無線ＬＡＮアクセスポイント装置の第２の実施形態の動作を示すフローチャートである。図６は、本発明による無線ＬＡＮアクセスポイント装置の第２の実施形態における無線子機との通信手順を示すシーケンス図である。シーケンス４１からシーケンス４４の処理は、図４に示したシーケンス３１からシーケンス３４の処理と同じであるため、説明を省略する。無線子機は、シーケンス４４のAuth Responceを受け取った後、無線ＬＡＮアクセスポイント装置２２へ接続するための要求（Association Request）を無線ＬＡＮアクセスポイント装置２２へ送信する（シーケンス４５）。
【００３０】
無線ＬＡＮアクセスポイント装置２２は、無線子機が接続しようとしているＳＳＩＤ（図６に示す例におけるＳＳＩＤ２３）より適しているＳＳＩＤが持っている場合（ステップＳ２２のＹＥＳ）、StatusCodeを０以外にして接続要求に対する応答（Association Response）を送信する（シーケンス４６、ステップＳ２４）。これにより、無線子機に対して、他のアクセスポイントにアクセスを試みるように誘導する。また、シーケンス４６において、無線ＬＡＮアクセスポイント装置２２は、他に適しているＳＳＩＤがなく（ステップＳ２２のＮＯ）、接続を許可する場合、Association ResponseのStatusCodeを０にして返信を行う（ステップＳ２３）。
【００３１】
無線子機は、シーケンス４６におけるAssociation ResponseのStatusCodeが０以外であった場合、他のＳＳＩＤ（図６に示す例におけるＳＳＩＤ２４）に接続を試みるために、他のＳＳＩＤにProbe Requestを送信する（シーケンス４７）。なお、無線ＬＡＮアクセスポイント装置２２は、第１の実施形態と同様に、最適な設定がされているＳＳＩＤが起動中でなければ起動させる処理をしてもよい。
【００３２】
なお、シーケンス４６において、無線ＬＡＮアクセスポイント装置２２が０以外のStatusCodeを送信しても、無線子機側の都合により、無線子機が、再度同じＳＳＩＤに接続要請（Association Request）をする場合がある。その場合、無線ＬＡＮアクセスポイント装置２２は、StatusCodeを０にしてAssociation responseを返信する。つまり、接続を許可し、始めに接続要請をされたＳＳＩＤを用いて通信する。
【００３３】
本実施形態の無線ＬＡＮアクセスポイント装置２２によれば、Association ResponseのStatusCodeを用いて、無線子機を最適なＳＳＩＤに接続させるように誘導する。これにより、第１の実施形態と同様の効果が得られる。
【００３４】
なお、上記の各実施形態では、以下の（１）から（４）に示すような無線アクセスポイント装置も開示されている。
【００３５】
（１）無線子機（例えば、携帯電話機２０またはＰＣ２１）から接続を要請されると無線子機の種類を判断する無線子機判断部（例えば、無線子機判断部２６）と、ＳＳＩＤの設定情報を管理する設定管理部（例えば、設定管理部２５）と、無線子機判断部が判断した無線子機の種類、および設定管理部が管理するＳＳＩＤの設定情報に基づいて、無線子機の種類に対して予め定めた最適な設定情報に最も近い設定情報を有するＳＳＩＤ（例えば、ＳＳＩＤ２４）を、無線子機に最適なＳＳＩＤであると決定する接続ＳＳＩＤ決定部（例えば、接続ＳＳＩＤ決定部２７）とを備え、無線子機に、接続ＳＳＩＤ決定部が決定したＳＳＩＤに応じた応答を送信することを特徴とする無線アクセスポイント装置（例えば、無線ＬＡＮアクセスポイント装置２２）。
【００３６】
（２）接続ＳＳＩＤ決定部が決定したＳＳＩＤ（例えば、ＳＳＩＤ２４）が、無線子機が接続要請したＳＳＩＤ（例えば、ＳＳＩＤ２３）と異なる場合、前記接続ＳＳＩＤ決定部が決定したＳＳＩＤの設定情報を含む応答を前記無線子機に送信し、当該設定情報を用いて、前記無線子機が接続要請したＳＳＩＤに前記無線子機を接続させるように構成されていてもよい。
【００３７】
（３）無線アクセスポイント装置において、接続ＳＳＩＤ決定部が決定したＳＳＩＤが、無線子機が接続要請したＳＳＩＤと異なる場合、前記接続ＳＳＩＤ決定部が決定したＳＳＩＤに前記無線子機を接続させるように構成されていてもよい。
【００３８】
（４）無線アクセスポイント装置において、設定管理部は、接続ＳＳＩＤ決定部が決定したＳＳＩＤが起動中でない場合、当該ＳＳＩＤを起動させるように構成されていてもよい。
【産業上の利用可能性】
【００３９】
本発明は、複数の種類の無線子機に接続する無線アクセスポイント装置に適用できる。
【符号の説明】
【００４０】
２２  無線ＬＡＮアクセスポイント装置
２５  設定管理部
２６  無線子機判断部
２７  接続ＳＳＩＤ決定部
【図１】
2013131993.tif 000003
【図２】
2013131993.tif 000004
【図３】
2013131993.tif 000005
【図４】
2013131993.tif 000006
【図５】
2013131993.tif 000007
【図６】
2013131993.tif 000008